(57)【要約】【課題】筐体を覆うカバーにマイク用の貫通孔がある場合でも、ハンドミュートを確実に行えるようにする。【解決手段】マイク１０への音声が通過する第１マイク用貫通孔１１の第１周縁１１ａ及びリアカバー５の第２周縁１２ａのいずれか一方にマイク用クッション１３を貼り付け、リアカバー５で正面側キャビネット３を覆ったときに、第１周縁１１ａと第２周縁１２ａとの間に圧縮状態で挟持する。第１周縁１１ａ及び第２周縁１２ａのマイク用クッション１３の外側にそれぞれ設けた第１突部１１ｂと第２突部１２ｂとをリアカバー５の脱着時に当接させてリアカバー５を撓ませ、第１周縁１１ａから第２周縁１２ａを遠ざける。【選択図】図１
2015061190.tif 000002
【特許請求の範囲】
【請求項１】
内部にマイクが内蔵され、該マイクへの音声が通過する第１マイク用貫通孔を有する筐体と、
上記筐体を覆い、上記第１マイク用貫通孔に対応する第２マイク用貫通孔を有するカバーと、
上記第１マイク用貫通孔の周縁である第１周縁及び上記第２マイク用貫通孔の周縁である第２周縁のいずれか一方に貼り付けられ、上記カバーで上記筐体を覆ったときに、上記第１周縁と上記第２周縁との間に圧縮状態で挟持される貫通孔を有するマイク用クッションとを備えた携帯端末であって、
上記第１周縁及び上記第２周縁の上記マイク用クッションの外側には、上記カバーの脱着時に互いに当接することで、上記カバーを撓ませて上記第２周縁を上記第１周縁から遠ざける突部がそれぞれ形成されている
ことを特徴とする携帯端末。
【請求項２】
請求項１に記載の携帯端末において、
上記第２周縁に形成した第２突部は、上記カバーの裏面外周縁に上記マイク用クッションの両側に間隔を空けて形成され、
上記第１周縁に形成した第１突部は、上記カバーで上記筐体を覆ったときに、上記カバーの取り外し方向へ上記第２突部から距離を空けて配置されている
ことを特徴とする携帯端末。
【請求項３】
請求項２に記載の携帯端末において、
上記筐体は、正面側キャビネットと、該正面側キャビネットを背面側から覆う背面側キャビネットとを有し、
上記背面側キャビネットは、上記第１周縁に合わせて切り欠いた切欠を有し、
上記第１マイク用貫通孔は、上記正面側キャビネットに形成され、
上記第１突部は、上記背面側キャビネットの切欠の周縁に形成した段部である
ことを特徴とする携帯端末。
【発明の詳細な説明】
【技術分野】
【０００１】
本発明は、マイクが内蔵された筐体と、この筐体を覆うカバーとを有する携帯端末に関し、特にマイク用の貫通孔を覆うときの消音性能の向上に関する。
【背景技術】
【０００２】
従来より、例えば、特許文献１の携帯端末装置のように、開口部が形成された筐体と、この筐体内部に配置され、音響部品が取り付けられる基板と、筐体内壁面の開口部の周囲に配置されるクッション部材と、音響部品の表面に近接する近接面を有し、近接面近傍の一端部が基板に接着されるとともに、他端部がクッション部材を介して筐体内壁面に当接し、開口部と音響部品との間の音声経路を形成するフレーム部材とを有するものが知られている。このクッション部材によって音響部品周辺の安定性を維持しつつ、音響特性の劣化を防止している。
【先行技術文献】
【特許文献】
【０００３】
【特許文献１】特開２０１１−５５３００号公報
【発明の概要】
【発明が解決しようとする課題】
【０００４】
ところで、携帯電話機など通話可能な携帯端末の場合、通話中に一時的にマイク用の貫通孔を塞いで通話相手に聞こえないようにするハンドミュートを行うことがある。
【０００５】
マイク用の貫通孔が筐体のカバーに設けられている場合、カバーの貫通孔の裏側周縁にクッション部材を貼り付けていると、カバーの脱着の際に剥がれてしまうので、クッション部材をカバーと筐体との間に密着させることができない。このため、ハンドミュートを行おうとしてもカバーと筐体との間で音が漏れてしまうという問題がある。
【０００６】
本発明は、かかる点に鑑みてなされたものであり、その目的とするところは、筐体を覆うカバーにマイク用の貫通孔がある場合でも、ハンドミュートを確実に行えるようにすることにある。
【課題を解決するための手段】
【０００７】
上記の目的を達成するために、この発明では、カバーの脱着時にマイク用クッションが剥がれないようにした。
【０００８】
具体的には、本発明では、内部にマイクが内蔵され、該マイクへの音声が通過する第１マイク用貫通孔を有する筐体と、
上記筐体を覆い、上記第１マイク用貫通孔に対応する第２マイク用貫通孔を有するカバーと、
上記第１マイク用貫通孔の周縁である第１周縁及び上記第２マイク用貫通孔の周縁である第２周縁のいずれか一方に貼り付けられ、上記カバーで上記筐体を覆ったときに、上記第１周縁と上記第２周縁との間に圧縮状態で挟持される貫通孔を有するマイク用クッションとを備えた携帯端末を対象とする。
【０００９】
そして、上記携帯端末は、
上記第１周縁及び上記第２周縁の上記マイク用クッションの外側には、上記カバーの脱着時に互いに当接することで、上記カバーを撓ませて上記第２周縁を上記第１周縁から遠ざける突部がそれぞれ形成されている。
【００１０】
上記の構成によると、カバーで筐体を覆ったときに、筐体側の第１周縁とカバー側の第２周縁との間にマイク用クッションを圧縮状態で挟持させるようにすることにより、ハンドミュート時にカバー裏面と筐体表面との間で音が漏れない。一方で、カバーの脱着時には、第１突部と第２突部とが当接することで、カバーが撓んで第２周縁が第１周縁から遠ざかるので、マイク用クッションが剥がれない。
【発明の効果】
【００１１】
以上説明したように、本発明によれば、マイク用クッションを筐体の貫通孔の第１周縁とカバーの貫通孔の第２周縁との間に圧縮状態で挟持し、カバーの脱着時に第１周縁の突部と第２周縁の突部とを当接させて第１周縁から第２周縁を遠ざけるようにしたことにより、筐体を覆うカバーにマイク用の貫通孔がある場合でも、ハンドミュートを確実に行えるようにする。
【図面の簡単な説明】
【００１２】
【図１】（ａ）が図５（ａ）のIa部拡大断面図で、（ｂ）が図５（ｂ）のIb部拡大断面図である。
【図２】本発明の実施形態に係る携帯電話機を示し、（ａ）が背面から見た斜視図であり、（ｂ）が底面図である。
【図３】携帯電話機の分解斜視図である。
【図４】リアカバーを外した携帯電話機を示し、（ａ）が背面図で、（ｂ）が底面図である。
【図５】（ａ）が図４のVa−Va線断面図で、（ｂ）が図４のVb−Vb線断面図である。
【図６】図４（ｂ）のVI部拡大断面図である。
【図７】リアカバー及びその一部を拡大して示す斜視図である。
【発明を実施するための形態】
【００１３】
以下、本発明の実施形態を図面に基づいて説明する。
【００１４】
図１〜図５は本発明の実施形態の携帯端末としての携帯電話機１を示し、この携帯電話機１は、例えば表面側にタッチパネルを含む表示部２を有するスマートフォンよりなる。表示部２は、正面側キャビネット３に収容され、その背面に背面側キャビネット４が結合されている。本実施形態では、正面側キャビネット３及び背面側キャビネット４が筐体を構成する。この筐体の背面をカバーとしてのリアカバー５が覆っている。正面側キャビネット３、背面側キャビネット４及びリアカバー５は、例えば樹脂成形品とするが、金属成形品でもよい。正面側キャビネット３と背面側キャビネット４とは、例えば、ビス８で締結されて枠状の防水パッキン６で防水されている。図７に示すように、リアカバー５の周縁には、複数の係合爪５ａが形成され、この係合爪５ａを正面側キャビネット３又は背面側キャビネット４に形成した係合穴４ａに係合するように、リアカバー５が筐体に嵌め込まれ、使用時に誤って外れてしまわないようになっている。
【００１５】
図１に拡大して示すように、携帯電話機１の内部には、マイク１０が内蔵され、このマイク１０が回路基板７に接続されている。正面側キャビネット３には、マイク１０への音声が通過する第１マイク用貫通孔１１が形成されている。なお、本実施形態では、正面側キャビネット３の下端は化粧カバー３ａで覆われているが、この化粧カバー３ａは、正面側キャビネット３と一体でもよい。背面側キャビネット４側にこの第１マイク用貫通孔１１が形成されていてもよい。マイク１０は、携帯電話機１の厚さをできるだけ薄くするために真下ではなく、斜めに向いている。マイク１０は、貫通孔を有してクッション性のある両面テープ１０ａで第１マイク用貫通孔１１の奥側周縁に貼り付けられている。第１マイク用貫通孔１１は、下方に向かって徐々に内径が大きくなっている。
【００１６】
この第１マイク用貫通孔１１に対応するようにリアカバー５の下端側壁には、円形の第２マイク用貫通孔１２が形成されている。本実施形態では、第２マイク用貫通孔１２は、外観をよくするために第１マイク用貫通孔１１よりも内径が小さくなっているが、第１マイク用貫通孔１１と同程度の大きさでもよい。
【００１７】
図１及び図６に示すように、第１マイク用貫通孔１１の周縁である第１周縁１１ａは、矩形状平坦面が形成され、この平坦面にマイク用クッション１３が貼り付けられている。例えば、このマイク用クッション１３は、中心に貫通孔１３ａを有する矩形板状で、正面側キャビネット３側の片面に接着層が形成されている。
【００１８】
図６に示すように、背面側キャビネット４は、この第１周縁１１ａに対応して矩形状に切欠４ｂが形成されている。切欠４ｂの正面側端部は、他の部分よりも低くなり、そのことで第１周縁１１ａを挟み込む一対の段部が形成され、この一対の段部の背面側の高くなった部分で第１突部１１ｂが構成されている。なお、この第１突部１１ｂは、背面側キャビネット４ではなく、正面側キャビネット３側を隆起させて設けてもよい。
【００１９】
図７に一部拡大して示すように、リアカバー５側の第２マイク用貫通孔１２の裏面側周縁である第２周縁１２ａは、マイク用クッション１３が当接する部分が矩形状の平坦面で構成されている。この第２周縁１２ａを挟み込むように、一対の第２突部１２ｂが形成されている。なお、第１周縁１１ａ側ではなく、第２周縁１２ａ側にマイク用クッション１３が貼り付けられていてもよい。
【００２０】
図１に示すように、リアカバー５で正面側キャビネット３及び背面側キャビネット４を覆ったときには、第１突部１１ｂは、第２突部１２ｂよりもリアカバー５の取り外し方向（白抜き矢印で示す）にあり、隙間Ｘが保たれている。マイク用クッション１３は、第１周縁１１ａと第２周縁１２ａとの間に圧縮状態で挟持される。このため、第２マイク用貫通孔１２を手で塞げば、背面側キャビネット４をリアカバー５で覆っていても、マイク１０に音声が届かなくなり、ハンドミュートの機能を果たすことができる。
【００２１】
一方で、リアカバー５を外すときには、リアカバー５が筐体にある程度堅固に嵌め込まれているので、リアカバー５に爪等を引っ掛けて剥がすようにして取り外す。この剥がす動作において、第２突部１２ｂが第１突部１１ｂに乗り上げるので、第２周縁１２ａが第１周縁１１ａから遠ざけられる。このため、マイク用クッション１３には、こすりあげて剥がすような力が加わらないようになっている。
【００２２】
このように、本実施形態では、リアカバー５で筐体を覆っているときには、第１突部１１ｂと第２突部１２ｂとが当接せず、マイク用クッション１３が第１周縁１１ａと第２周縁１２ａとで密閉状に挟持されるので、音漏れの少ないハンドミュートを行える。一方で、リアカバー５の脱着時には、第１突部１１ｂと第２突部１２ｂとが確実に当接するので、マイク用クッション１３が剥がれない。
【００２３】
したがって、本実施形態に係る携帯端末によると、正面側キャビネット３及び背面側キャビネット４を覆うリアカバー５にマイク１０の貫通孔がある場合でも、ハンドミュートを確実に行えるようにする。
【００２４】
（その他の実施形態）
本発明は、上記実施形態について、以下のような構成としてもよい。
【００２５】
すなわち、上記実施形態では、筐体を正面側キャビネット３と背面側キャビネット４とで構成したが、１つのキャビネットで構成してもよい。その場合は、そのキャビネットの第１周縁１１ａの一部を隆起させて第１突部１１ｂを形成すればよい。
【００２６】
上記実施形態では、携帯端末は、携帯電話機１としたが、ＰＨＳ（Personal Handy-phone System ）、ＰＤＡ(Personal DigitalAssistant)、スマートフォン、パソコン、モバイルツール、電子辞書、電卓、ゲーム機等であってもよい。
【００２７】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２８】
１      携帯電話機（携帯端末）
２      表示部
３      正面側キャビネット（筐体）
４      背面側キャビネット（筐体）
４ａ    係合穴 
４ｂ    切欠 
５      リアカバー
６      防水パッキン
７      回路基板
１０      マイク
１０ａ    両面テープ
１１      第１マイク用貫通孔
１１ａ    第１周縁
１１ｂ    第１突部
１２      第２マイク用貫通孔
１２ａ    第２周縁
１２ｂ    第２突部
１３      マイク用クッション
１３ａ    貫通孔
【図１】
2015061190.tif 000003
【図２】
2015061190.tif 000004
【図３】
2015061190.tif 000005
【図４】
2015061190.tif 000006
【図５】
2015061190.tif 000007
【図６】
2015061190.tif 000008
【図７】
2015061190.tif 000009